(57)【要約】【課題】ハンドルの操作性を向上できる手押しポンプを提供すること。【解決手段】手押しポンプ１は、シリンダ２１を有する本体１１と、シリンダ２１内に設けられたピストン４２と、ピストン４２に接続され、本体１１から外部へ延出するピストンロッド４１と、一端がピストンロッド４１の上端に回転可能に接続された第１リンク部材５１と、本体１１に設けられた支持部材５３と、支持部材５３に回転可能に支持されるとともに、第１リンク部材５１に一端が回転可能に接続された第２リンク部材５２と、操作者により操作されるハンドル５５と、第２リンク部材５２及びハンドル５５の間に、単数又は複数設けられ、第２リンク部材５２及びハンドル５５に着脱可能に構成された延長用ハンドル５４と、を備える【選択図】      図１
2019027301.tif 000002
【特許請求の範囲】
【請求項１】
シリンダを有する本体と、
前記シリンダ内に設けられたピストンと、
前記ピストンに接続され、前記本体から外部へ延出するピストンロッドと、
一端が前記ピストンロッドの上端に回転可能に接続された第１リンク部材と、
前記本体に設けられた支持部材と、
前記支持部材に回転可能に支持されるとともに、前記第１リンク部材に一端が回転可能に接続された第２リンク部材と、
操作者により操作されるハンドルと、
前記第２リンク部材及び前記ハンドルの間に、単数又は複数設けられ、前記第２リンク部材及び前記ハンドルに着脱可能に構成された延長用ハンドルと、
を備える手押しポンプ。
【請求項２】
前記延長用ハンドルの一端及び前記ハンドルの一端にそれぞれ設けられた接続部と、
前記第２リンク部材の他端及び前記延長用ハンドルの他端にそれぞれ設けられ、前記接続部が接続される被接続部と、
を備える、請求項１に記載の手押しポンプ。
【請求項３】
前記接続部及び前記被接続部は、前記接続部及び前記被接続部の一方を前記接続部及び前記被接続部の他方に挿入可能なオスメス形状を有する、請求項２に記載の手押しポンプ。
【請求項４】
前記延長用ハンドルは、円弧状に湾曲し、外周側が上方に配置される、請求項１に記載の手押しポンプ。
【発明の詳細な説明】
【技術分野】
【０００１】
本発明は、給水に用いる手押しポンプに関する。
【背景技術】
【０００２】
従来から、井戸や貯水槽等から水を供給する手押しポンプが知られている（例えば、特許文献１参照）。手押しポンプは、ハンドルを上下方向に往復動させてシリンダ内のピストンを上下させることで揚水する。
【先行技術文献】
【特許文献】
【０００３】
【特許文献１】特開２００９−０１３８７６号公報
【発明の概要】
【発明が解決しようとする課題】
【０００４】
手押しポンプは、シリンダが大型になると、ハンドルの操作に要する荷重が大きくなる。また、深井戸に手押しポンプを用いる場合には、地下揚程に応じてハンドルの操作に要する荷重が大きくなる。
【０００５】
このため、特に、ピストンを下死点側から上死点側へと移動させるときに、ハンドルの操作に大きな荷重を要する。即ち、ハンドルを下方へ操作するときにハンドルの操作に大きな荷重を要することになる。このような問題点を解決する例として、ハンドルの先端に錘を設けることも考えられる。即ち、錘がハンドルの先端に重力方向の荷重を印加することから、ハンドルを下方へ操作するときに、ハンドルの操作に要する荷重を低減できる。
【０００６】
しかしながら、ハンドルを上方に操作するときに、錘の重量がハンドルを上方へ操作するときに要する荷重に加わることから、錘の重さを重くすると、ハンドルの操作性が低減する虞がある。
【０００７】
そこで本発明は、ハンドルの操作性を向上できる手押しポンプを提供することを目的とする。
【課題を解決するための手段】
【０００８】
本発明の一態様によれば、手押しポンプは、シリンダを有する本体と、前記シリンダ内に設けられたピストンと、前記ピストンに接続され、前記本体から外部へ延出するピストンロッドと、一端が前記ピストンロッドの上端に回転可能に接続された第１リンク部材と、前記本体に設けられた支持部材と、前記支持部材に回転可能に支持されるとともに、前記第１リンク部材に一端が回転可能に接続された第２リンク部材と、操作者により操作されるハンドルと、前記第２リンク部材及び前記ハンドルの間に、単数又は複数設けられ、前記第２リンク部材及び前記ハンドルに着脱可能に構成された延長用ハンドルと、を備える。
【発明の効果】
【０００９】
本発明は、ハンドルの操作性を向上できる手押しポンプを提供することができる。
【図面の簡単な説明】
【００１０】
【図１】本発明の一実施形態に係る手押しポンプの構成を一部断面で示す側面図。
【図２】同手押しポンプに用いられるリンク機構部の構成を示す側面図。
【図３】同リンク機構部に用いられる延長用ハンドルの構成を示す側面図。
【図４】同手押しポンプの使用の一例を示す側面図。
【発明を実施するための形態】
【００１１】
以下、本発明の一実施形態に係る手押しポンプ１を、図１乃至図３を用いて説明する。
図１は、本発明の一実施形態に係る手押しポンプ１の構成を一部断面で示す側面図、図２は、手押しポンプ１に用いられるリンク機構部１３の構成を示す側面図、図３はリンク機構部１３に用いられる延長用ハンドル５４の構成を示す側面図、図４は、手押しポンプ１の使用の一例を示す側面図である。
【００１２】
図１及び図２に示すように、手押しポンプ１は、本体１１と、本体１１の内部に往復動可能に設けられたピストン部材１２と、ピストン部材１２に連結されたリンク機構部１３と、本体１１を井戸等に固定するベース１５と、を備えている。
【００１３】
本体１１は、ベース１５を介して、井戸や貯水槽等の水源に、水面に対して下端部が対向するように配置される。本体１１は、軸心が重力方向に沿って延設される筒状のシリンダ２１と、シリンダ２１の下端部に接続される吸込ケーシング２２と、シリンダ２１の上端部に接続される吐出ケーシング２３と、を備えている。本体１１は、揚水方向で一次側、例えば吸込ケーシングに第１逆止弁が設けられる。
【００１４】
また、本体１１は、ボルト等の締結部材によりシリンダ２１、吸込ケーシング及び吐出ケーシング２３が一体に固定されることで構成される。このような本体１１は、一次側に、ピストン部材１２とともに、シリンダ２１及び吸込ケーシング内に吸込室が形成される。また、本体１１は、二次側に、ピストン部材１２とともに、シリンダ２１内及び吐出ケーシング２３に吐出室が形成される。
【００１５】
シリンダ２１は、その内周面をピストン部材１２が摺動可能に形成されている。シリンダ２１は、内周面の表面粗さ及び軸心に対する円心度が所定の精度で形成される。なお、ここで、所定の精度とは、ピストン部材１２の往復動において、ピストン部材１２及びシリンダ２１の間の漏水、往復動時のピストン部材１２及びシリンダ２１の間の抵抗及び干渉、又は、ピストン部材１２の損傷等によるポンプ機能の低下を防止可能な精度であり、手押しポンプ１の性能に応じて適宜設定可能である。
【００１６】
吸込ケーシング２２は、上端部がシリンダ２１と同一の内径で開口し、下端部に吸込口を有する。吸込ケーシング２２は、その内部に第１逆止弁を配置可能に形成されている。
【００１７】
吐出ケーシング２３は、下端部がシリンダ２１と同一の内径で開口する椀状に形成される。吐出ケーシング２３は、その側面の一部に形成された吐出口２３ａと、吐出ケーシング２３の上端に設けられた孔部２３ｂと、を備えている。孔部２３ｂに設けられた軸封部材２３ｃと、を備えている。
【００１８】
孔部２３ｂは、ピストン部材１２の後述するピストンロッド４１を挿入可能に構成される。孔部２３ｂには、孔部２３ｂとピストンロッド４１との間を軸封する軸封部材及びピストンロッド４１を径方向に指示する支持部材等が設けられる。
【００１９】
ピストン部材１２は、ピストンロッド４１と、このピストンロッド４１の下端側に接続されたピストン４２と、を備えている。
【００２０】
ピストンロッド４１は、円柱棒状に形成され、下端部にピストン４２が固定される。ピストンロッド４１は、吐出室から孔部２３ｂを介して本体１１の外部へ延設される。ピストンロッド４１は、例えば、リンク機構部１３と連結するための連結部４３を備えている。
【００２１】
ピストン４２は、ピストンロッド４１の下端側に接続されたピストンヨーク、ピストンヨークに設けられ、シリンダ２１の内周面を摺動可能に形成されたピストン及びピストンをピストンヨークに固定するピストン押え等により構成される。また、ピストン４２は、吸込室から吐出室へ流体を移動可能、且つ、吐出室から吸込室への流体の移動を規制可能な第２逆止弁を備えている。ピストン４２は、シリンダ２１の内部を吸込室及び吐出室に区分するとともに、移動することで、吸込室及び吐出室の容積比を可変させる。
【００２２】
連結部４３は、リンク機構部１３と連結可能に形成されている。連結部４３は、ピストンロッド４１の端部に接続される。
【００２３】
リンク機構部１３は、第１リンク部材５１と、第２リンク部材５２と、支持部材５３と、延長用ハンドル５４と、ハンドル５５と、を備えている。
【００２４】
第１リンク部材５１は、その長手方向の両端部が、それぞれ連結部４３及び第２リンク部材５２に連結軸１３ａにより連結される。
【００２５】
第２リンク部材５２は、長手方向の中途部が支持部材５３に連結軸１３ａにより連結される。第２リンク部材５２は、一端に設けられ、第１リンク部材５１が連結軸１３ａにより連結される。第２リンク部材５２は、他端に設けられ、延長用ハンドル５４を固定する円筒状の被接続部５２ａを有する。この被接続部５２ａは、例えば、円筒状に構成されるとともに、複数のボルト穴５２ｂを有している。被接続部５２ａは、延長用ハンドル５４の一端が挿入された後にボルト穴５２ｂに挿入されたボルト１００等によって延長用ハンドル５４の一端を固定できる。
【００２６】
支持部材５３は、本体１１に固定され、本体１１の軸方向に沿って延び、先端に連結軸１３ａにより連結された第２リンク部材５２を回転可能に支持する。
【００２７】
延長用ハンドル５４は、第２リンク部材５２の他端に固定される。具体的には、延長用ハンドル５４は、所定の曲率半径で湾曲する。ここで、所定の曲率半径は、例えば、５００ｍｍ乃至１５００ｍｍの範囲に設定される。図１乃至図３に示すように、延長用ハンドル５４は、一端に設けられ、第２リンク部材５２の被接続部５２ａと接続する接続部５４ａと、他端に設けられ、ハンドル５５と接続される被接続部５４ｂと、を含む。また、延長用ハンドル５４は、湾曲する外周面側が上方に位置して、第２リンク部材５２に接続される。
【００２８】
接続部５４ａは、第２リンク部材５２の被接続部５２ａに挿入可能に、外径が被接続部５２ａの内径と同一径又は被接続部５２ａの内径よりも若干小径の円柱状に構成される。また、接続部５４ａは、ボルトが締結される雌螺子が切られたボルト孔５４ｃを有する。ボルト孔５４ｃは、接続部５４ａを被接続部５２ａに挿入したときに、被接続部５２ａのボルト穴５２ｂと対向する位置に配置される。
【００２９】
被接続部５４ｂは、例えば、円筒状に構成されるとともに、複数のボルト穴５４ｄを有する。被接続部５４ｂは、第２リンク部材５２の被接続部５２ａと同形状に構成される。被接続部５４ｂは、ハンドル５５の一端が挿入された後にボルト穴５４ｄに挿入されたボルト１００によって他の延長用ハンドル５４又はハンドル５５の一端を固定できる。
【００３０】
ハンドル５５は、曲率中心が上方及び下方にそれぞれ配置された２つの曲率半径を有して湾曲する形状に構成される。換言すると、ハンドル５５は、中途部位に１つの変曲点を有し、当該変曲点の一方側の部位と、他方側の部位とが逆方向にカーブする緩やかなＳ字形状を呈する。また、ハンドル５５は、一端に、接続部５５ａを含む。
【００３１】
接続部５５ａは、第２リンク部材５２の被接続部５２ａ又は延長用ハンドル５４の被接続部５４ｂに挿入可能に、外径が被接続部５２ａ、５４ｂの内径と同一径又は被接続部５２ａ、５４ｂの内径よりも若干小径に構成される。また、接続部５５ａは、ボルトが締結される雌螺子が切られたボルト孔５５ｃを有する。ボルト孔５５ｃは、接続部５５ａを被接続部５２ａ、５４ｂに挿入したときに、ボルト穴５２ｂ、５４ｄと対向する位置に配置される。即ち、接続部５５ａは、接続部５４ａと同形状に構成される。
【００３２】
このように構成された手押しポンプ１は、延長用ハンドル５４を、第２リンク部材５２及びハンドル５５の間に配置することで、ハンドル５５の操作者が操作する部位（力点）と、第２リンク部材５２及び支持部材５３の連結部（支点）との距離を長くすることが可能となる。即ち、ハンドル５５を延長用ハンドル５４によって延長させることで、ピストン部材１２を上下動させるために必要な力を低減させることで、ハンドル荷重を軽減することが可能となる。
【００３３】
また、増加する重量は延長用ハンドル５４の重量であることから、手押しポンプ１は、ウエイトを用いて下方向へ操作するときのハンドル荷重を低減する手押しポンプよりも、上下方向の操作において、ハンドル５５に加わる重量を抑えることが可能となる。また、手押しポンプ１に用いる材料は、延長用ハンドル５４の材料だけでよいから、材料も少なくて良く、製造コストを低減できる。
【００３４】
さらに、手押しポンプ１が設置される井戸等の水面高さによって、延長用ハンドル５４を複数接続することで、ハンドル荷重を調整することができる。即ち、リンク機構部１３は、第２リンク部材５２の被接続部５２ａ及び延長用ハンドル５４の被接続部５４ｂが同形状に構成され、そして、延長用ハンドル５４の接続部５４ａ及びハンドル５５の接続部５５ａが同形状に構成される。このため、延長用ハンドル５４が不要な場合には、第２リンク部材５２及びハンドル５５を連結し、延長用ハンドル５４が必要な場合には、図２及び図４に示すように、単数又は複数の延長用ハンドル５４を第２リンク部材５２及びハンドル５５の間に配置できる。このように、手押しポンプ１は、設置される井戸等の条件に基づいて、任意にハンドル荷重を調整することができる。
【００３５】
さらに、延長用ハンドル５４は、所定の曲率半径で湾曲する形状、即ち、円弧状に構成され、外周側を上方に配置して、第２リンク部材５２に固定されることから、ハンドル５５の操作者が操作する高さ位置を極力低くすることができる。
【００３６】
上述したように本発明の一実施形態に係る手押しポンプ１によれば、第２リンク部材５２及びハンドル５５の間に延長用ハンドル５４を配置できるため、設置条件に基づいて、ハンドル荷重を調整し、ハンドル５５の操作性を向上できる。
【００３７】
なお、本発明は、上記実施形態に限定さない。例えば、上述した例では、手押しポンプ１は、第２リンク部材５２、延長用ハンドル５４及びハンドル５５を接続する手段として、ボルトを用いる構成を説明したがこれに限定されない。例えば、手押しポンプ１は、第２リンク部材５２、延長用ハンドル５４及びハンドル５５を接続する手段として、ピンを用いる構成であってもよく、また、他の構成であってもよい。また、手押しポンプ１は、一次側に水中ポンプが直列に接続される構成であってもよい。
【００３８】
また、上述した例では、第２リンク部材５２に被接続部５２ａを、ハンドル５５に接続部５５ａを設ける構成を説明したがこれに限定されない。例えば、第２リンク部材５２に接続部を設け、ハンドル５５に被接続部を設ける構成であってもよい。即ち、第２リンク部材５２及びハンドル５５の間に、単数及び複数の延長用ハンドル５４を任意に接続可能な、オスメス形状の接続部を有する構成であれば、適宜設定可能である。ここで、オスメス形状とは、一方の部材に他方の部材を挿入することが可能な構成である。
【００３９】
また、第２リンク部材５２、延長用ハンドル５４及びハンドル５５は、接続部及び被接続部を筒状及び円柱状のオスメス形状でなく、四角筒状及び四角柱状に構成されていてもよい。また、第２リンク部材５２、延長用ハンドル５４及びハンドル５５は、接続部及び被接続部をオスメス形状でなく、複数のボルト等で固定する構成であってもよいが、オスメス形状とすることで、一方の部材に他方の部材を挿入したあとに、ボルトで固定できることから、簡単、且つ、安全に、第２リンク部材５２及びハンドル５５間において延長用ハンドル５４を着脱することができる。
【００４０】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４１】
１…手押しポンプ、１１…本体、１２…ピストン部材、１３…リンク機構部、１３ａ…連結軸、１５…ベース、２１…シリンダ、２２…吸込ケーシング、２３…吐出ケーシング、２３ａ…吐出口、２３ｂ…孔部、２３ｃ…軸封部材、４１…ピストンロッド、４２…ピストン、４３…連結部、５１…第１リンク部材、５２…第２リンク部材、５２ａ…被接続部、５２ｂ…ボルト穴、５３…支持部材、５４…延長用ハンドル、５４ａ…接続部、５４ｂ…被接続部、５４ｃ…ボルト孔、５４ｄ…ボルト穴、５５…ハンドル、５５ａ…接続部、５５ｃ…ボルト孔、１００…ボルト。
【図１】
2019027301.tif 000003
【図２】
2019027301.tif 000004
【図３】
2019027301.tif 000005
【図４】
2019027301.tif 000006